(57)【要約】【課題】  被保持体をフレームに簡易に保持する。【解決手段】  フレーム４に取り付けられるベース体１５と、被保持体１３の外周面と該外周面に対向して位置するフレームの内面との並び方向に延びる回転軸２６を支点としてベース体に回転自在に支持された回転調整体１６とを設け、回転調整体に、一部が被保持体の外周面と該外周面に対向して位置するフレームの内面との間の隙間に挿入されると共に被保持体の外周面に対向する面が該外周面に接する調整部２７を設け、調整部を周方向において回転軸が延びる方向における厚みが可変する形状に形成し、ベース体に、被保持体の位置調整作業時に回転調整体が回転される方向と反対方向への回転を規制するロック部２２を設けた。【選択図】        図１３
2009169056.tif 000002
【特許請求の範囲】
【請求項１】
略平板状に形成された被保持体をフレームに対する位置調整作業を行った状態で前記フレームの内側に保持する保持装置であって、
前記フレームに取り付けられるベース体と、
前記被保持体の外周面と該外周面に対向して位置する前記フレームの内面との並び方向に延びる回転軸を支点として前記ベース体に回転自在に支持された回転調整体とを備え、
前記回転調整体に、一部が前記被保持体の前記外周面と該外周面に対向して位置する前記フレームの前記内面との間の隙間に挿入されると共に前記被保持体の前記外周面に対向する面が該外周面に接する調整部を設け、
前記調整部を周方向において前記回転軸が延びる方向における厚みが可変する形状に形成し、
前記ベース体に、前記被保持体の前記位置調整作業時に前記回転調整体が回転される方向と反対方向への回転を規制するロック部を設けた
ことを特徴とする保持装置。
【請求項２】
前記ベース体の前記ロック部として弾性変形可能なロック片を設け、
前記回転調整体の前記回転軸の外周面に、周方向において隣接し前記ロック片が係止される複数の被ロック溝を有する被ロック部を設けた
ことを特徴とする請求項１に記載の保持装置。
【請求項３】
前記回転調整体の前記調整部における前記フレームの前記内面に対向する面が該内面に接するようにした
ことを特徴とする請求項１に記載の保持装置。
【請求項４】
前記ベース体に、前記回転調整体の回転方向における初期位置を検出する検出用突部を設けた
ことを特徴とする請求項１に記載の保持装置。
【請求項５】
略平板状に形成された被保持体をフレームに対する位置調整作業を行った状態で前記フレームの内側に保持装置によって保持する保持構造であって、
前記保持装置は、
前記フレームに取り付けられるベース体と、
前記被保持体の外周面と該外周面に対向して位置する前記フレームの内面との並び方向に延びる回転軸を支点として前記ベース体に回転自在に支持された回転調整体とを備え、
前記回転調整体に、一部が前記被保持体の前記外周面と該外周面に対向して位置する前記フレームの前記内面との間の隙間に挿入されると共に前記被保持体の前記外周面に対向する面が該外周面に接する調整部を設け、
前記調整部を周方向において前記回転軸が延びる方向における厚みが可変する形状に形成し、
前記ベース体に、前記被保持体の前記位置調整作業時に前記回転調整体が回転される方向と反対方向への回転を規制するロック部を設けた
ことを特徴とする保持構造。
【請求項６】
画像を表示するスクリーンをフレームに対する位置調整作業を行った状態で前記フレームの内側に保持装置によって保持する保持構造を備えた画像表示装置であって、
前記保持装置は、
前記フレームに取り付けられるベース体と、
前記被保持体の外周面と該外周面に対向して位置する前記フレームの内面との並び方向に延びる回転軸を支点として前記ベース体に回転自在に支持された回転調整体とを備え、
前記回転調整体に、一部が前記被保持体の前記外周面と該外周面に対向して位置する前記フレームの前記内面との間の隙間に挿入されると共に前記被保持体の前記外周面に対向する面が該外周面に接する調整部を設け、
前記調整部を周方向において前記回転軸が延びる方向における厚みが可変する形状に形成し、
前記ベース体に、前記被保持体の前記位置調整作業時に前記回転調整体が回転される方向と反対方向への回転を規制するロック部を設けた
ことを特徴とする画像表示装置。
【発明の詳細な説明】
【技術分野】
【０００１】
本発明は、保持装置、保持構造及び画像表示装置についての技術分野に関する。詳しくは、スクリーン等の略平板状に形成された被保持体をフレームに簡易に保持する技術分野に関する。
【背景技術】
【０００２】
テレビジョン受像器やパーソナルコンピューターのモニター装置等の画像表示装置には、略平板状に形成され被保持体として設けられたスクリーン、前面カバー、レンズシート等がフレームに保持されている。
【０００３】
このような画像表示装置にあっては、スクリーン等の被保持体がフレームの内側に配置されるため、被保持体の外形状がフレームの内周の大きさより一回り小さく形成されている。従って、スクリーン等の被保持体をフレームの内部に配置して保持するときには、被保持体をフレームに対して、例えば、片側に寄せて位置調整作業を行い位置合わせをした状態で配置する必要がある。
【０００４】
スクリーン等の被保持体がフレームの内側に保持された従来の保持構造としては、例えば、スクリーン等の被保持体の外周部を両面接着テープを用いてフレームに接着することにより、被保持体をフレームに保持するようにした構造がある（例えば、特許文献１参照）。
【０００５】
【特許文献１】特開平９−１８８１６号公報
【発明の開示】
【発明が解決しようとする課題】
【０００６】
ところが、特許文献１に記載された従来の保持構造にあっては、両面接着テープによって被保持体をフレームに保持するようにしているため、例えば、生産ラインでの不良品の交換作業や市販後のメンテナンス時の交換作業において作業工数が多くなり手間がかかると言う問題がある。
【０００７】
また、被保持体をフレームに保持する方法として、例えば、ネジ止めによる方法も存在するが、ネジ止めの場合には、フレーム及び被保持体に取付ネジが挿通される取付孔を形成しなければならずフレームや被保持体の加工作業が複雑であったり、また、被保持体に取付孔を形成できない場合には被保持体の外周部にネジ止め用のブラケットを設ける必要が生じて部品点数及び作業工数が多くなると言う問題がある。
【０００８】
そこで、本発明保持装置、保持構造及び画像表示装置は、上記した課題を解決し、被保持体をフレームに簡易に保持することを課題とする。
【課題を解決するための手段】
【０００９】
保持装置は、上記した課題を解決するために、略平板状に形成された被保持体をフレームに対する位置調整作業を行った状態で前記フレームの内側に保持し、前記フレームに取り付けられるベース体と、前記被保持体の外周面と該外周面に対向して位置する前記フレームの内面との並び方向に延びる回転軸を支点として前記ベース体に回転自在に支持された回転調整体とを備え、前記回転調整体に、一部が前記被保持体の前記外周面と該外周面に対向して位置する前記フレームの前記内面との間の隙間に挿入されると共に前記被保持体の前記外周面に対向する面が該外周面に接する調整部を設け、前記調整部を周方向において前記回転軸が延びる方向における厚みが可変する形状に形成し、前記ベース体に、前記被保持体の前記位置調整作業時に前記回転調整体が回転される方向と反対方向への回転を規制するロック部を設けたものである。
【００１０】
従って、保持装置にあっては、フレームに取り付けられた回転調整体がベース体に対して回転されることにより、被保持体がフレームに対して位置決めされて保持される。
【００１１】
上記保持装置において、前記ベース体の前記ロック部として弾性変形可能なロック片を設け、前記回転調整体の前記回転軸の外周面に、周方向において隣接し前記ロック片が係止される複数の被ロック溝を有する被ロック部を設けることが可能である。
【００１２】
弾性変形可能なロック片と該ロック片が係止される複数の被ロック溝を有する被ロック部を設けることにより、ロック手段の構成が簡素となる。
【００１３】
また、上記保持装置においては、前記回転調整体の前記調整部における前記フレームの前記内面に対向する面が該内面に接するようにすることが望ましい。
【００１４】
回転調整体の調整部におけるフレームの内面に対向する面を該内面に接するようにすることにより、保持装置による被保持体の保持状態が安定化する。
【００１５】
さらに、上記保持装置において、前記ベース体に、前記回転調整体の回転方向における初期位置を検出する検出用突部を設けることが好ましい。
【００１６】
検出用突部を設けることにより、初期位置の検出を簡易かつ確実に行うことが可能となる。
【００１７】
保持構造は、上記した課題を解決するために、略平板状に形成された被保持体をフレームに対する位置調整作業を行った状態で前記フレームの内側に保持装置によって保持し、前記保持装置は、前記フレームに取り付けられるベース体と、前記被保持体の外周面と該外周面に対向して位置する前記フレームの内面との並び方向に延びる回転軸を支点として前記ベース体に回転自在に支持された回転調整体とを備え、前記回転調整体に、一部が前記被保持体の前記外周面と該外周面に対向して位置する前記フレームの前記内面との間の隙間に挿入されると共に前記被保持体の前記外周面に対向する面が該外周面に接する調整部を設け、前記調整部を周方向において前記回転軸が延びる方向における厚みが可変する形状に形成し、前記ベース体に、前記被保持体の前記位置調整作業時に前記回転調整体が回転される方向と反対方向への回転を規制するロック部を設けたものである。
【００１８】
従って、保持構造にあっては、フレームに取り付けられた回転調整体がベース体に対して回転されることにより、被保持体がフレームに対して位置決めされて保持される。
【００１９】
画像表示装置は、上記した課題を解決するために、画像を表示するスクリーンをフレームに対する位置調整作業を行った状態で前記フレームの内側に保持装置によって保持し、前記保持装置は、前記フレームに取り付けられるベース体と、前記被保持体の外周面と該外周面に対向して位置する前記フレームの内面との並び方向に延びる回転軸を支点として前記ベース体に回転自在に支持された回転調整体とを備え、前記回転調整体に、一部が前記被保持体の前記外周面と該外周面に対向して位置する前記フレームの前記内面との間の隙間に挿入されると共に前記被保持体の前記外周面に対向する面が該外周面に接する調整部を設け、前記調整部を周方向において前記回転軸が延びる方向における厚みが可変する形状に形成し、前記ベース体に、前記被保持体の前記位置調整作業時に前記回転調整体が回転される方向と反対方向への回転を規制するロック部を設けたものである。
【００２０】
従って、画像表示装置にあっては、フレームに取り付けられた回転調整体がベース体に対して回転されることにより、被保持体がフレームに対して位置決めされて保持される。
【発明の効果】
【００２１】
本発明保持装置は、略平板状に形成された被保持体をフレームに対する位置調整作業を行った状態で前記フレームの内側に保持する保持装置であって、前記フレームに取り付けられるベース体と、前記被保持体の外周面と該外周面に対向して位置する前記フレームの内面との並び方向に延びる回転軸を支点として前記ベース体に回転自在に支持された回転調整体とを備え、前記回転調整体に、一部が前記被保持体の前記外周面と該外周面に対向して位置する前記フレームの前記内面との間の隙間に挿入されると共に前記被保持体の前記外周面に対向する面が該外周面に接する調整部を設け、前記調整部を周方向において前記回転軸が延びる方向における厚みが可変する形状に形成し、前記ベース体に、前記被保持体の前記位置調整作業時に前記回転調整体が回転される方向と反対方向への回転を規制するロック部を設けたことを特徴とする。
【００２２】
従って、両面接着テープを用いて被保持体をフレームに保持する必要がなく、生産ラインでの不良品の交換作業や市販後のメンテナンス時の交換作業において作業工数が少なくて済み、交換作業における手間が省かれ作業性の向上を図ることができる。
【００２３】
請求項２に記載した発明にあっては、前記ベース体の前記ロック部として弾性変形可能なロック片を設け、前記回転調整体の前記回転軸の外周面に、周方向において隣接し前記ロック片が係止される複数の被ロック溝を有する被ロック部を設けたので、ロック手段の構成が簡素であり、保持装置の構造の簡素化を図ることができる。
【００２４】
請求項３に記載した発明にあっては、前記回転調整体の前記調整部における前記フレームの前記内面に対向する面が該内面に接するようにしたので、保持装置による被保持体の保持状態の安定化を図ることができる。
【００２５】
請求項４に記載した発明にあっては、前記ベース体に、前記回転調整体の回転方向における初期位置を検出する検出用突部を設けたので、初期位置の検出を簡易かつ確実に行うことができる。
【００２６】
本発明保持構造は、略平板状に形成された被保持体をフレームに対する位置調整作業を行った状態で前記フレームの内側に保持装置によって保持する保持構造であって、前記保持装置は、前記フレームに取り付けられるベース体と、前記被保持体の外周面と該外周面に対向して位置する前記フレームの内面との並び方向に延びる回転軸を支点として前記ベース体に回転自在に支持された回転調整体とを備え、前記回転調整体に、一部が前記被保持体の前記外周面と該外周面に対向して位置する前記フレームの前記内面との間の隙間に挿入されると共に前記被保持体の前記外周面に対向する面が該外周面に接する調整部を設け、前記調整部を周方向において前記回転軸が延びる方向における厚みが可変する形状に形成し、前記ベース体に、前記被保持体の前記位置調整作業時に前記回転調整体が回転される方向と反対方向への回転を規制するロック部を設けたことを特徴とする。
【００２７】
従って、両面接着テープを用いて被保持体をフレームに保持する必要がなく、生産ラインでの不良品の交換作業や市販後のメンテナンス時の交換作業において作業工数が少なくて済み、交換作業における手間が省かれ作業性の向上を図ることができる。
【００２８】
本発明画像表示装置は、画像を表示するスクリーンをフレームに対する位置調整作業を行った状態で前記フレームの内側に保持装置によって保持する保持構造を備えた画像表示装置であって、前記保持装置は、前記フレームに取り付けられるベース体と、前記被保持体の外周面と該外周面に対向して位置する前記フレームの内面との並び方向に延びる回転軸を支点として前記ベース体に回転自在に支持された回転調整体とを備え、前記回転調整体に、一部が前記被保持体の前記外周面と該外周面に対向して位置する前記フレームの前記内面との間の隙間に挿入されると共に前記被保持体の前記外周面に対向する面が該外周面に接する調整部を設け、前記調整部を周方向において前記回転軸が延びる方向における厚みが可変する形状に形成し、前記ベース体に、前記被保持体の前記位置調整作業時に前記回転調整体が回転される方向と反対方向への回転を規制するロック部を設けたことを特徴とする。
【００２９】
従って、両面接着テープを用いて被保持体をフレームに保持する必要がなく、生産ラインでの不良品の交換作業や市販後のメンテナンス時の交換作業において作業工数が少なくて済み、交換作業における手間が省かれ作業性の向上を図ることができる。
【発明を実施するための最良の形態】
【００３０】
以下に、本発明保持装置、保持構造及び画像表示装置を実施するための最良の形態を添付図面に従って説明する。
【００３１】
以下に示した最良の形態は、本発明画像表示装置を、スクリーン（液晶パネル）に画像を表示するテレビジョン受像器に適用したものであり、本発明保持構造を、このテレビジョン受像器に備えられた保持構造に適用し、本発明保持装置を、このテレビジョン受像器に備えられた保持装置に適用したものである。
【００３２】
尚、本発明の適用範囲は液晶パネルを有するテレビジョン受像器及びこれに備えられた保持構造及び保持装置に限られることはなく、他の各種のテレビジョン受像器、パーソナルコンピューターのモニター等の画像表示装置等やこれらに用いられる各種の保持構造及び保持装置に広く適用することができる。
【００３３】
画像表示装置（テレビジョン受像器）１は外筐２の内部に所要の各部が配置されて成る（図１及び図２参照）。
【００３４】
外筐２はリアパネル３と該リアパネル３の前面における外周部に取り付けられるフレーム４とによって構成されている。
【００３５】
フレーム４は左右に位置しそれぞれ上下に長い縦長部５、５と上下に位置しそれぞれ左右に長い横長部６、６とから成る。
【００３６】
縦長部５は、図３及び図４に示すように、略左右方向を向く側面部７と該側面部７の前縁から側方（内方）へ突出された前面部８とから成る。側面部７は後側に位置し左右方向を向く垂直部７ａと該垂直部７ａの前端に連続され前方へ行くに従って緩やかに内側に傾斜された傾斜部７ｂとから成る。前面部８には後方へ突出された押さえリブ８ａ、８ａが左右に離隔して設けられている。
【００３７】
例えば、右側に位置する側面部７の垂直部７ａの内面には、上下に離隔して取付体９、９が設けられている（図２参照）。取付体９、９は側面部７と一体又は別体で設けられている。
【００３８】
取付体９は上下に離隔して設けられた一対の取付片１０、１０によって構成されている。取付片１０、１０には、図３及び図４に示すように、それぞれ前後に貫通された取付用切欠１１、１１が形成されている。取付用切欠１１、１１はそれぞれ下方又は上方に開口された垂直部１１ａ、１１ａと該垂直部１１ａ、１１ａの上端又は下端に連続された水平部１１ｂ、１１ｂとから成る。
【００３９】
外筐２の内部には押さえ板金１２が配置される（図１及び図２参照）。押さえ板金１２はフレーム４より一回り小さい枠状に形成され、前端部が前後方向を向く押さえ面部１２ａとして設けられている。押さえ板金１２の右端部には上下に離隔して配置用切欠１２ｂ、１２ｂが形成されている。
【００４０】
押さえ板金１２がフレーム４の内側に配置された状態においては、図１に示すように、配置用切欠１２ｂ、１２ｂにそれぞれ取付体９、９が配置される。
【００４１】
外筐２の内部には被保持体として設けられたスクリーン１３が配置される。スクリーン１３は、図５に示すように、フレーム４の押さえリブ８ａ、８ａと押さえ板金１２の押さえ面部１２ａとによって前後から挟持された状態で外筐２の内部に配置される。
【００４２】
スクリーン１３は保持装置１４、１４によってフレーム４に対して位置合わせされた状態で該フレーム４に保持される（図１参照）。
【００４３】
保持装置１４は、図６乃至図８に示すように、フレーム４に取り付けられて固定されるベース体１５と該ベース体１５に回転自在に支持された回転調整体１６とから成り、ベース体１５及び回転調整体１６は、例えば、樹脂材料によって形成されている。
【００４４】
ベース体１５は、例えば、外形が縦長の矩形状に形成され、左右方向を向くベース面部１７と該ベース面部１７の外周縁から直交する方向へ突出された周面部１８と該周面部１８の上下両面からそれぞれ上方又は下方へ突出された被取付部１９、１９とを有している。
【００４５】
ベース面部１７には周面部１８と同じ方向へ突出された支持筒部２０が設けられている。支持筒部２０は円環状に形成され、一部に突部挿通孔２０ａが形成されている（図７参照）。支持筒部２０の先端部の内面には環状に形成された支持溝２０ｂが形成されている。支持筒部２０は左右に貫通されている。
【００４６】
ベース面部１７には、支持筒部２０の下方に該支持筒部２０と同じ方向へ突出された検出用突部２１が設けられている（図７及び図８参照）。ベース面部１７には支持筒部２０側へ突出され左右方向に長いロック片２２が設けられている。ロック片２２は弾性変形可能とされ、先端部２２ａが支持筒部２０の突部挿通孔２０ａに挿通されている。ロック片２２の先端部２２ａは楔状に形成されている。
【００４７】
被取付部１９は、図６乃至図８に示すように、周面部１８からそれぞれ上方又は下方へ突出された垂直部２３と該垂直部２３の上端部又は下端部に連続した水平部２４とから成る。被取付部１９は縦断面形状でＴ字状又は逆Ｔ字状に形成され取付片１０の取付用切欠１１に対応した形状に形成されている。被取付部１９の垂直部２３には弾性変形可能とされた被ロック片２５が設けられ、被ロック片２５は側方へ突出されたロック用係止部２５ａを有している。
【００４８】
回転調整体１６は左右方向に延びる回転軸２６と該回転軸２６の軸方向における一端部に連続して設けられた調整部２７とが一体に形成されて成る。
【００４９】
回転軸２６は略円筒状に形成され、内部に、例えば、六角柱状の治具挿通孔２６ａを有している。回転軸２６の外周面には被ロック部２８が形成され、該被ロック部２８は全周に隣接して形成された複数の被ロック溝２８ａ、２８ａ、・・・によって構成されている。
【００５０】
回転軸２６の外周面には周方向に離隔して位置する摺動突条２６ｂ、２６ｂ、２６ｂが設けられている。摺動突条２６ｂ、２６ｂ、２６ｂは、回転軸２６における調整部２７に連続する側の端部に設けられている。
【００５１】
調整部２７は略円板状に形成され、中心部が回転軸２６に連続されている。調整部２７は周方向へ行くに従って厚みが漸次異なるように形成された変位部２９を有している。変位部２９における最も厚みが厚い側の端縁には、厚みの薄い部分との差による段差面２９ａが形成されている。
【００５２】
調整部２７は外面２７ａが周方向において左右方向における位置が略同一の緩やかな曲面に形成され（図７参照）、変位部２９は内面２７ｂ側への突出量が周方向へ行くに従って変化されることにより形成されている。
【００５３】
回転調整体１６は回転軸２６に設けられた摺動突条２６ｂ、２６ｂ、２６ｂが、支持筒部２０の内面に形成された支持溝２０ｂに摺動自在に支持されることによりベース体１５に回転自在に支持される。従って、回転調整体１６がベース体１５に対して回転されるときには、摺動突条２６ｂ、２６ｂ、２６ｂが支持溝２０ｂに対して摺動される。
【００５４】
回転調整体１６がベース体１５に回転自在に支持された状態においては、調整部２７の内面２７ｂにおける外周部の一部が、ベース面部１７に設けられた検出用突部２１に対向して位置される（図８参照）。
【００５５】
また、回転調整体１６がベース体１５に回転自在に支持された状態においては、調整部２７の一部がベース体１５から前方へ突出されている。
【００５６】
さらに、回転調整体１６がベース体１５に回転自在に支持された状態においては、ロック片２２の先端部２２ａが被ロック部２８の被ロック溝２８ａに係合されている。ロック片２２の先端部２２ａは被ロック部２８における上端寄りに位置する被ロック溝２８ａに後方側から係合されている。従って、ロック片２２と被ロック部２８は、回転体の一方の方向への回転を許容し他方の方向への回転を規制する所謂ラチェット機構を構成しており、調整部２７の一方の方向（図８に示すＡ方向）のみの回転が許容されている。
【００５７】
上記のように構成された保持装置１４は、以下のようにして取付体９に取り付けられて固定される（図９乃至図１１参照）。
【００５８】
保持装置１４はベース体１５に設けられた被取付部１９、１９がそれぞれ取付体９の取付片１０、１０における取付用切欠１１、１１に後方から挿入される。このとき被取付部１９、１９は、垂直部２３、２３がそれぞれ取付用切欠１１、１１の垂直部１１ａ、１１ａに挿入され、水平部２４、２４がそれぞれ取付用切欠１１、１１の垂直部１１ｂ、１１ｂに挿入される。
【００５９】
被取付部１９、１９がそれぞれ取付用切欠１１、１１に挿入されると、それぞれ垂直部２３、２３に設けられた被ロック片２５、２５が弾性変形される（図９参照）。  保持装置１４が後方へ移動されて被ロック片２５、２５のロック用係止部２５ａ、２５ａがそれぞれ取付用切欠１１、１１から前方へ突出されると、被ロック片２５、２５がそれぞれ弾性復帰してロック用係止部２５ａ、２５ａがそれぞれ取付用切欠１１、１１の前側開口縁に係止される（図１０参照）。従って、保持装置１４はそれぞれ被ロック片２５、２５が取付片１０、１０にロックされて後方への移動が規制され、取付体９に取り付けられて固定される（図１１参照）。
【００６０】
保持装置１４が取付体９に取り付けられた状態においては、回転調整体１６の調整部２７における外面２７ａがフレーム４の縦長部５における傾斜部５ｂに接する（図１０参照）。従って、ベース体１５に対して回転調整体１６が回転されるときには、調整部２７の外面２７ａが縦長部５の傾斜部５ｂに摺動される。
【００６１】
保持装置１４が取付体９に取り付けられた状態においては、図５に示すように、スクリーン１３はフレーム４の押さえリブ８ａ、８ａと押さえ板金１２の押さえ面部１２ａとによって挟持されており、スクリーン１３の右側面１３ａが、保持装置１４の調整部２７におけるベース体１５から右方へ突出した部分に対向して位置される（図１０参照）。
【００６２】
尚、保持装置１４には、上記したように、ベース体１５に検出用突部２１が設けられている。検出用突部２１には、上記したように、回転調整体１６の調整部２７の内面２７ｂにおける外周部の一部が対向して位置されており、変位部２９の厚みが薄い部分が対向した状態においては変位部２９は検出用突部２１に接しない（図１０参照）が、変位部２９の厚みが略最大となった部分が対向した状態においては変位部２９は検出用突部２１に接する（図１２参照）。
【００６３】
そこで、保持装置１４にあっては、調整部２７を回転させて変位部２９の厚みが最大となった部分を越えて変位部２９の検出用突部２１との接触が解除された部分を回転方向における初期位置として設定している（図８参照）。初期位置は、検出用突部２１の変位部２９との接触が解除された瞬間に、調整部２７の検出用突部２１との接触による回転に対する抵抗がなくなるため、正確に検出することができる。
【００６４】
尚、変位部２９が検出用突部２１に接してから該検出用突部２１との接触が解除されるまでは、調整部２７が検出用突部２１から離隔する方向へ僅かに弾性変形される。
【００６５】
保持装置１４の調整部２７が初期位置にある状態においては、ベース体１５から前方へ突出された調整部２７の一部が、最も厚みの薄い部分とされている（図１０参照）。従って、調整部２７を初期位置とした状態において保持装置１４を取付体９に取り付けることにより、ベース体１５から前方へ突出された調整部２７の一部とスクリーン１３の右側面１３ａとの間に確実に隙間Ｈが形成される。
【００６６】
以上のように構成された画像表示装置１にあっては、スクリーン１３がフレーム４の内側に配置されるため、スクリーン１３の外形状がフレーム４の内周より一回り小さく形成されている。従って、スクリーン１３をフレーム４の内側に配置して保持するときには、スクリーン１３をフレーム４に対して片側、例えば、左側に寄せて位置合わせを行った状態で配置するようにしており、以下の左右方向における位置調整作業により、スクリーン１３は左側面がフレーム４の左側に位置する縦長部５の内面に接するようにフレーム４の内側に配置される。
【００６７】
尚、スクリーン１３の上下方向における位置調整は、スクリーン１３が自重により下面がフレーム４の下側に位置する横長部６の内面に接するため、特には行う必要がない。
【００６８】
保持装置１４によるスクリーン１３のフレーム４に対する左右方向における位置調整作業を以下に説明する（図１３乃至図１５参照）。
【００６９】
保持装置１４、１４は、上記したように、それぞれフレーム４に上下に離隔して設けられた取付体９、９に取り付けられて固定されている。このとき、保持装置１４は回転調整体１６が初期位置にあり、調整部２７における変位部２９の厚みが薄い部分がスクリーン１３の右側面１３ａに対向して位置されている（図１０参照）。
【００７０】
初期位置は、上記したように、調整部２７を回転させて変位部２９の厚みが最大となった部分を越えて変位部２９の検出用突部２１との接触を解除させることにより検出することができ、調整部２７を初期位置にした状態とすることにより、位置調整の開始時に、ベース体１５から前方へ突出された調整部２７の一部とスクリーン１３の右側面１３ａとの間に確実に隙間Ｈが形成され、以下の位置調整作業を簡易かつ確実に行うことができる。
【００７１】
位置調整作業は、回転調整体１６の回転軸２６に形成された治具挿通孔２６ａに回転調整用治具１００を挿入して回転調整体１６を一方向へ回転することにより行う（図１５参照）。回転調整用治具１００は治具挿通孔２６ａの形状に一致した六角柱状に形成されている。
【００７２】
回転調整用治具１００を一方向へ回転していくと、回転調整用治具１００の回転に伴って回転調整体１６が回転され、スクリーン１３の右側面１３ａに対向する変位部２９の部分における厚みが変化されていき、スクリーン１３の右側面１３ａと変位部２９の間隔が小さくなっていく。
【００７３】
回転調整体１６の回転時には、ベース体１５に設けられたロック片２２の先端部２２ａが回転調整体１６の被ロック部２８における何れかの被ロック溝２８ａに連続的に係合され、回転の都度、回転調整体１６の一方向とは反対方向への回転が規制される。
【００７４】
回転調整用治具１００の一方向への回転により、スクリーン１３の右側面１３ａに変位部２９が接し（図１４及び図１５参照）、さらに回転調整用治具１００が一方向へ回転されることによりスクリーン１３が左方へ移動されて左側面がフレーム４の左側に位置する縦長部５の内面に接する。
【００７５】
スクリーン１３の左側面がフレーム４の左側に位置する縦長部５の内面に接することにより、回転調整用治具１００の一方向への回転が規制され、位置調整作業を終了する。
【００７６】
位置調整作業が終了した状態においても、ベース体１５に設けられたロック片２２の先端部２２ａが回転調整体１６の被ロック部２８における何れかの被ロック溝２８ａに係合され、回転調整体１６の一方向とは反対方向への回転が規制されてロックされた状態とされる。
【００７７】
上記したように、位置調整作業が終了した状態においては、スクリーン１３は、左側面がフレーム４の左側に位置する縦長部５の内面に接し、右側面１３ａが回転調整体１６の変位部２９に接し、左右方向においてフレーム４に対してスクリーン１３のガタツキがない状態とされる。
【００７８】
以上に記載した通り、画像表示装置１にあっては、保持装置１４がフレーム４に取り付けられるベース体１５と該ベース体１５に回転自在に支持された回転調整体１６とを備え、該回転調整体１６に、一部がスクリーン１３の右側面１３ａに対向して位置する調整部２７を設け、該調整部２７に回転軸２６が延びる方向における厚みが可変す変位部２９を設け、ベース体１５に回転調整体１６が回転される方向と反対方向への回転を規制するロック片２２を設けている。
【００７９】
従って、画像表示装置１にあっては、両面接着テープを用いてスクリーン１３をフレーム４に保持する必要がなく、例えば、生産ラインでの不良品の交換作業や市販後のメンテナンス時の交換作業において作業工数が少なくて済み、交換作業における手間が省かれ作業性の向上を図ることができる。
【００８０】
また、ネジ止めによってスクリーン１３をフレーム４に保持する必要がなく、スクリーン１３やフレーム４に取付ネジが挿通される取付孔を形成する必要がなく、スクリーン１３やフレーム４の加工の容易化、部品点数の削減及び作業工数の低減を図ることができる。
【００８１】
さらに、位置調整作業において、フレーム４に対するスクリーン１３の位置合わせと同時にロック片２２によって回転調整体１６のロックが行われるため、位置調整作業の容易化を図ることができる。
【００８２】
保持装置１４においては、回転調整体１６のロックを行うロック部として弾性変形可能なロック片２２をベース体１５に設け、回転調整体１６の回転軸２６の外周面に被ロック部２８を設けているため、ロック手段の構成が簡素であり、保持装置１４の構造の簡素化を図ることができる。
【００８３】
また、回転調整体１６の調整部２７における外面２７ａがフレーム４の内面に接するようにしているため、保持装置１４によるスクリーン１３の保持状態の安定化を図ることができる。
【００８４】
尚、上記には、フレーム４の一方の縦長部５に二つの取付体９、９を設けて位置調整作業を行う例を示したが、取付体９の位置はフレーム４の内面であれば何れの位置であってもよく、また、取付体９の数も任意の数に設定することができる。
【００８５】
但し、縦方向より横方向の方が長いスクリーン１３の位置調整を行う際に、長手方向となる横方向における位置調整を行ってガタツキを防止することにより、縦方向における捻れが低減され、結果的に、横方向における位置調整を行うことにより縦方向におけるガタツキをも防止することが可能である。
【００８６】
尚、スクリーン１３の厚み方向におけるガタツキは、例えば、スクリーン１３の後面と押さえ板金１２の前面との間にゴム等により形成されたクッションを介在させることにより防止することができる。
【００８７】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８８】
【図１】図２乃至図１５と共に本発明を実施するための最良の形態を示すものであり、本図は、画像表示装置を示す斜視図である。
【図２】リアパネルを省略した状態で画像表示装置を示す分解斜視図である。
【図３】保持装置とフレームに設けられた取付体とを示す斜視図である。
【図４】フレームの縦長部と取付体の取付片を示す拡大断面図である。
【図５】スクリーンが押さえリブと押さえ板金によって挟持されている状態を示す拡大断面図である。
【図６】保持装置の拡大分解斜視図である。
【図７】図６とは異なる方向から見た状態で示す保持装置の拡大分解斜視図である。
【図８】保持装置の拡大斜視図である。
【図９】図１０及び図１１と共に取付体に対する保持装置の取付の手順を示すものであり、本図は、保持装置が取付体の取付用切欠に挿入されている状態を示す拡大断面図である。
【図１０】保持装置が取付体に取り付けられて固定された状態を示す拡大断面図である。
【図１１】保持装置が取付体に取り付けられて固定された状態を示す斜視図である。
【図１２】回転調整体が回転されて初期位置に達する直前の状態を示す拡大斜視図である。
【図１３】図１４及び図１５と共に保持装置によるフレームに対するスクリーンの位置調整作業を示すものであり、本図は、回転調整用治具が回転調整体の治具挿通孔に挿通された状態を示す斜視図である。
【図１４】位置調整作業が終了した状態を示す拡大断面図である。
【図１５】位置調整作業が終了した状態を示す斜視図である。
【符号の説明】
【００８９】
１…画像表示装置、４…フレーム、１３…スクリーン、１４…保持装置、１５…ベース体、１６…回転調整体、２１…検出用突部、２２…ロック片、２６…回転軸、２７…調整部、２８…被ロック部、２８ａ…被ロック溝
【図１】
2009169056.tif 000003
【図２】
2009169056.tif 000004
【図３】
2009169056.tif 000005
【図４】
2009169056.tif 000006
【図５】
2009169056.tif 000007
【図６】
2009169056.tif 000008
【図７】
2009169056.tif 000009
【図８】
2009169056.tif 000010
【図９】
2009169056.tif 000011
【図１０】
2009169056.tif 000012
【図１１】
2009169056.tif 000013
【図１２】
2009169056.tif 000014
【図１３】
2009169056.tif 000015
【図１４】
2009169056.tif 000016
【図１５】
2009169056.tif 000017